(57)【要約】【課題】  本発明は、足の踏まずの部分をサポートし、スムースに歩行でき、疲れにくい履物又はスニーカーを提供することをその目的とする。【解決手段】  本発明は、平板状であり、かつクッション性のある弾性材料からなり、足裏母子球や土踏まずなどの位置に対応した上面に種々の凹部及び隆起部を形成した歩行用履物の中底又はインソールであり、更に、かかる中底又はインソールとともに足裏に接する面（上面）に横方向の直線状の溝を設け、接地面（下面）に円形または楕円形の溝とつま先方向に凸の円弧状の溝を形成してなる靴底又はアウトソールとを組み合わせて構成した歩行用履物又はスニーカーである。【選択図】図１
2014147622.tif 000002
【特許請求の範囲】
【請求項１】
平板状であり、かつクッション性のある弾性材料からなり、足裏に対応した本体上面に、以下の（イ）の凹部及び（ロ）〜（ヘ）の隆起部を形成したことを特徴とする歩行用履物又はスニーカーの中底又はインソール。
（イ）第１趾の母子球の位置にある縦長の楕円形状を持つ半球状の母子球凹部、
（ロ）第２趾中足骨先端部から第５趾中足骨中央部に当接するように直線状に隆起しているカマボコ状中央隆起部、
（ハ）足裏の土踏まずの位置にあり、楔状骨、舟状骨、第１中足骨後部及び第２中足骨後部に当接するように隆起し、その外縁が足の内側方向に張り出した形状を有する内側扇状隆起部、
（ニ）立方骨と踵骨前部に当接するように隆起し、足の外側方向に張り出した形状を有する外側扇状隆起部、
（ホ）その内径が踵骨に当接するように円輪状に隆起した形状を有する円輪状隆起部、及び、
（ヘ）踵骨外縁から第５中足骨後部外側縁に当接するように隆起し、足の外側方向に張り出した形状を有する半楕円弧状後部隆起部。
【請求項２】
内側扇状隆起部が、中底又はインソールの基底部からさらに足の内側方向に張り出して、その下に空間を形成したものであることを特徴とする請求項１に記載の履物又はスニーカーの中底又はインソール。
【請求項３】
クッション性のある弾性材料が、平板状材料の裏側から測定したデュロメータタイプＥによる押込み硬さが１０〜８０であることを特徴とする請求項１又は２に記載の履物又はスニーカーの中底又はインソール。
【請求項４】
クッション性のある弾性材料が、塩化ビニル樹脂、ポリエチレン樹脂、ポリエチレン樹脂、エチレン酢酸ビニル樹脂及びウレタン樹脂から選ばれる合成樹脂の発泡体であることを特徴とする請求項１乃至３のいずれかに記載の履物又はスニーカーの中底又はインソール。
【請求項５】
前記中底又はインソールが、単一の構成材料をもって一体的に形成されていることを特徴とする請求項１乃至４のいずれかに記載の履物又はスニーカーの中底又はインソール。
【請求項６】
請求項１乃至５のいずれかに記載の履物又はスニーカーの中底又はインソールとともに、その上側表面に足幅方向に断面形状がその頂部が下向きの逆三角形又は逆台形である溝を有し、かつ地面に接する下側表面において、母子球部と踵部に対応する位置に円形または楕円形の複数の溝を形成し、それ以外の部分には足のつま先方向に凸状の円弧状の複数の溝を形成してなる靴底又はアウトソールとを組み合わせて構成された歩行用履物又はスニーカー。
【請求項７】
断面形状が逆三角形又は逆台形の溝が、直線状であり、かつ踵骨後部から中足骨頭部までの部分に形成されたものであることを特徴とする請求項６に記載の歩行用履物又はスニーカー。
【請求項８】
断面形状が逆三角形又は逆台形の溝が、その間隔が１０〜２０ｍｍであり、踵部での深さが６．５〜７．５ｍｍでつま先方向に向かって減少するように形成されたものであることを特徴とする請求項６又は７に記載の歩行用履物又はスニーカー。
【請求項９】
足のつま先方向に凸状の円弧状の複数の溝が、踵後端から足指先端まで歩行時の重心の移動軌跡に沿った方向に前方に凸状に形成されたものであることを特徴とする請求項６乃至８のいずれかに記載の歩行用履物又はスニーカー。
【請求項１０】
前記円弧状の複数の溝が、その幅が０．８〜１０ｍｍ、深さが０．５〜２．５ｍｍであり、溝間隔が０．９〜１２ｍｍであることを特徴とする請求項６乃至９のいずれかに記載の歩行用履物又はスニーカー。
【発明の詳細な説明】
【技術分野】
【０００１】
歩行中にスムースに重心の移動を行うことができ、疲れにくくかつ安定した歩行を行うことができる履物用中底又はインソールおよびこれを用いるスニーカーに関する。
【背景技術】
【０００２】
人は２本脚歩行をすることから、２本の脚の足裏全体で体重を支えるとともに、歩行の際に身体全体の微妙なバランスをとる必要がある。このために人の足部は、踵部と５本の指とそれらをつなぐ中足骨、楔状骨、立方骨、舟状骨、距骨などからなる複雑な骨格構造、さらにこれらを有機的に連携させる筋肉組織からなっており、これらの組織が複雑に連携して働きながら身体のバランスを取りつつ２本脚歩行を行っている。このような足の構造のうちでも、特に左右の脚の足裏の内側の土踏まず部の内側縦方向アーチ構造と５本の中足骨により形成される足裏の横方向（幅方向）アーチ構造が、体重を支え、歩行による衝撃を和らげるために重要な働きをしている。
【０００３】
このような人の２本脚歩行のためには履物が重要な役割を担っている。従来からのさまざまな履物としては、靴、下駄、サンダル、スリッパその他種々のものが使用されているが、これらのものは人の足裏が接する部位は平たんな平板状のものが一般的であった。
【０００４】
近年になって、歩行時の歩きやすさや歩行の安定性、更にはより疲れにくい履物とするためにいろいろの工夫がなされており、特に足裏が接する靴底内部に足裏のアーチ構造を支えるために種々の隆起部分を形成させた靴底や中敷（インソール）が提案されている。
【０００５】
例えば、足アーチの衝撃吸収能をより高めるために、足裏の衝撃吸収能のある足アーチの３つの接点部分を他の部分より高くした又は硬くした靴底（特許文献１参照）、外反母趾の予防および矯正効果を高める外反母趾対策用の履物又は靴中敷きとして、中底表面に親指安定用凹部と踵安定用凹部と土踏まず支持用凸部と中足骨支持用凸部とを設けたもの（特許文献２参照）などが提案されている。しかし、前者のものは接点部分を平面形状で部分的に高く又は硬くしただけのもので満足な装着感のものは得られず、後者のものは外反母趾の予防などの効果が必ずしも明確ではなかった。
【０００６】
これらにさらに改良を加えたものとして、例えば、使用者本来の足型を正常に形成することにより自然体の足型に育成することや、高齢者などの歩行をより安定にすることを目的として、足裏の形状に合わせてそれぞれのアーチ部や踵部などなどに接するように隆起部やサポート部を設けた履物用中敷や靴底が提案されている（特許文献３、特許文献４参照）。また、装着者の足骨格の各部をバランス良く安定化させ良好な使用感を得ることを目的としたインソール、或いはＯ脚や変形性膝関節症の患者又はその傾向のある者が装着することを目的として、それぞれのアーチ部などに隆起部やスポット状に凹部を設けた可撓性材料からなるインソールなどが提案されている（特許文献５、特許文献６参照）。
【先行技術文献】
【特許文献】
【０００７】
【特許文献１】特開平９−２８４０９号公報
【特許文献２】特開平９−１４０４０５号公報
【特許文献３】特許第３７８４６８０号公報
【特許文献４】特許第３８７４９８２号公報
【特許文献５】特開２０１０−２７５号公報
【特許文献６】特開２０１０−１１５９２１号公報
【発明の概要】
【発明が解決しようとする課題】
【０００８】
しかし、これらの従来から提案されているような表面に種々の隆起部を形成させた靴の中底やインソールは、必ずしもそのうたっている効果が十分に満足できるものではなかったり、構造が複雑となりコストの嵩むものであったりした。
本発明は、足の踏まずの部分をしっかりサポートするとともに、スムースに歩行でき、疲れにくく、長時間の歩行や立ち仕事などにも最適な履物又はスニーカーを提供することをその目的とするものである。
【課題を解決するための手段】
【０００９】
本発明者らは、歩行用の履物やスニーカーにおける以上のような現状に鑑み鋭意検討した結果、歩行用の履物やスニーカーの中底又はインソールの表面にあおり歩行を誘導するようなさまざまな隆起部やくぼみ部を設けることによって、更にはこのような中底又はインソールと、同様にあおり歩行を誘導するような構造をもった靴底又はアウトソールとを組み合わせた構造とした履物又はスニーカーとすることによってこの目的を達成することができることを見出し本発明を完成した。
【００１０】
即ち、本発明は、以下の内容をその要旨とする発明である。
（１）平板状であり、かつクッション性のある弾性材料からなり、足裏に対応した本体上面に、以下の（イ）の凹部及び（ロ）〜（ヘ）の隆起部を形成したことを特徴とする歩行用履物又はスニーカーの中底又はインソール。
（イ）第１趾の母子球の位置にある縦長の楕円形状を持つ半球状の母子球凹部、
（ロ）第２趾中足骨先端部から第５趾中足骨中央部に当接するように直線状に隆起しているカマボコ状中央隆起部、
（ハ）足裏の土踏まずの位置にあり、楔状骨、舟状骨、第１中足骨後部及び第２中足骨後部に当接するように隆起し、その外縁が足の内側方向に張り出した形状を有する内側扇状隆起部、
（ニ）立方骨と踵骨前部に当接するように隆起し、足の外側方向に張り出した形状を有する外側扇状隆起部、
（ホ）その内径が踵骨に当接するように円輪状に隆起した形状を有する円輪状隆起部、及び、
（ヘ）踵骨外縁から第５中足骨後部外側縁に当接するように隆起し、足の外側方向に張り出した形状を有する半楕円弧状後部隆起部。
【００１１】
（２）内側扇状隆起部が、中底又はインソールの基底部からさらに足の内側方向に張り出して、その下に空間を形成したものであることを特徴とする前記（１）に記載の履物又はスニーカーの中底又はインソール。
【００１２】
（３）クッション性のある弾性材料が、平板状材料の裏側から測定したデュロメータタイプＥによる押込み硬さが１０〜８０であることを特徴とする前記（１）又は（２）に記載の履物又はスニーカーの中底又はインソール。
【００１３】
（４）クッション性のある弾性材料が、塩化ビニル樹脂、ポリエチレン樹脂、エチレン酢酸ビニル樹脂及びウレタン樹脂から選ばれる合成樹脂の発泡体であることを特徴とする前記（１）乃至（３）のいずれかに記載の履物又はスニーカーの中底又はインソール。
【００１４】
（５）前記中底又はインソールが、単一の構成材料をもって一体的に形成されていることを特徴とする前記（１）乃至（４）のいずれかに記載の履物又はスニーカーの中底又はインソール。
【００１５】
（６）前記（１）乃至（５）のいずれかに記載の履物又はスニーカーの中底又はインソールとともに、その上側表面に足幅方向に断面形状がその頂部が下向きの逆三角形又は逆台形である溝を有し、かつ地面に接する下側表面において、母子球部と踵部に対応する位置に円形または楕円形の複数の溝を形成し、それ以外の部分には足のつま先方向に凸状の円弧状の複数の溝を形成してなる靴底又はアウトソールとを組み合わせて構成された歩行用履物又はスニーカー。
【００１６】
（７）断面形状が逆三角形又は逆台形の溝が、直線状であり、かつ踵骨後部から中足骨頭部までの部分に形成されたものであることを特徴とする前記（６）記載の歩行用履物又はスニーカー。
【００１７】
（８）断面形状が逆三角形又は逆台形の溝が、その間隔が１０〜２０ｍｍであり、踵部での深さが６．５〜７．５ｍｍでつま先方向に向かって減少するように形成されたものであることを特徴とする前記（６）又は（７）に記載の歩行用履物又はスニーカー。
【００１８】
（９）足のつま先方向に凸状の円弧状の複数の溝が、踵後端から足指先端まで歩行時の重心の移動軌跡に沿った方向に前方に凸状に形成されたものであることを特徴とする前記（６）乃至（８）のいずれかに記載の歩行用履物又はスニーカー。
【００１９】
（１０）前記円弧状の複数の溝が、その幅が０．８〜１０ｍｍ、深さが０．５〜２．５ｍｍであり、溝間隔が０．９〜１２ｍｍであることを特徴とする前記（６）乃至（９）のいずれかに記載の歩行用履物又はスニーカー。
【発明の効果】
【００２０】
本発明の歩行用履物又はスニーカーの中底又はインソールは、人が履いて使用する際に適度の弾力性を有しており、その表面に複数の隆起部と凹部を形成したものであるため、使用に際して足裏にぴったりと密着して、しかも足裏の土踏まずの縦アーチ部や第２趾中足骨から第５趾中足骨の部分の横アーチ部をしっかり支えることができる。そのためぴったりした感触で履き心地がよく、長時間使用しても疲れにくいという効果が得られる。
【００２１】
更に、本発明の歩行用履物又はスニーカーは、このような中底又はインソールとともに、その上面と下面の表面にそれぞれ特徴のある溝を形成させた靴底又はアウトソールとを組み合わせて一体として構成されたものであり、このような特徴ある中底又はインソールと靴底又はアウトソールとを組み合わせた構造を採用することによって、歩行に際して理想的な歩行とされているあおり歩行に自然に誘導され、より一層疲れにくく安定な歩行が可能となり、快適な履き心地の履物又はスニーカーが得られる。
【図面の簡単な説明】
【００２２】
【図１】本発明の中底又はインソールを示す平面図と側面図の一例である。
【図２】図１の本発明の中底又はインソールのＡ−Ａ´矢視の断面図である。
【図３】図１の本発明の中底又はインソールのＢ−Ｂ´矢視及びＣ−Ｃ´矢視の断面図である。
【図４】本発明の歩行用履物又はスニーカーの靴底又はアウトソールの上側平面図の一例である。
【図５】本発明の歩行用履物又はスニーカーの靴底又はアウトソールの下側平面図の一例である。
【図６】図４の本発明の歩行用履物又はスニーカーの靴底又はアウトソールのＤ−Ｄ´矢視の断面図である。
【図７】人の足の骨格を示す説明図である。
【図８】あおり歩行を示す説明図である。
【図９】実施例１の主観評価による履き心地の評価結果を示すグラフである。
【図１０】実施例１の主観評価による足部の疲れの評価結果を示すグラフである。
【図１１】実施例１の主観評価による着地時の衝撃の評価結果を示すグラフである。
【図１２】実施例１の主観評価による足のぐらつきの評価結果を示すグラフである。
【図１３】実施例１の主観評価による中敷と足裏のフィット感の評価結果を示すグラフである。
【図１４】実施例１の主観評価による靴底の曲がり具合の評価結果を示すグラフである。
【図１５】実施例３の男子学生の歩行時の重心移動の測定結果を示すチャートである。
【図１６】実施例３の女子学生の歩行時の重心移動の測定結果を示すチャートである。
【発明を実施するための形態】
【００２３】
以下に、本発明について図面を用いて更に詳しく説明する。
まず、本発明の歩行用履物又はスニーカーの中底又はインソール１１は、その足裏の接する上表面に上記の（イ）のような凹部及び（ロ）から（ヘ）のような種々の隆起部を形成した、クッション性のある弾性材料からなるものである。その１例を図１〜図３に示す。また、足の骨格を説明するための骨格図を図７に、あおり歩行を説明するための説明図を図８に示す。
【００２４】
まず、本発明の歩行用履物又はスニーカーの中底又はインソール１１は、第１趾（親指）の母子球に対応する位置に足のつま先方向に縦長の楕円形状を持つ半球状の母子球凹部１２を形成している。これは第１趾（親指）の中足骨３８の骨頭部下側にある種子骨４３を受け止める位置にあり、この母子球凹部１２によって歩行に際して前方に足を蹴りだす際に第１趾の母子球をしっかり掴み、スムースな歩行を行うことができる。そのためその大きさと深さは使用する人の足裏に合わせて選択するが、一般的に長軸が３０〜４４ｍｍ、短軸が２３〜３２ｍｍ、深さが２．５〜３．５ｍｍであり、凹部の中心が最大深さとなる。
【００２５】
この母子球凹部１２の外縁から始まって、第２趾中足骨３９の先端部から第５趾中足骨４２の中央部に当接する位置に直線状に隆起しているカマボコ状中央隆起部１３を形成している。これは第２趾中足骨３９から第５趾中足骨４２によって形成されている足の幅方向のアーチ（横アーチ）を下から支える働きをする。また、歩行に際してこのカマボコ状中央隆起部１３によって後方から移動してきた重心が母子球凹部１２の方向に誘導される。このカマボコ状中央隆起部１３はその幅が６．５〜９．５ｍｍ、高さが０．８〜１．２ｍｍである。
【００２６】
また、足裏の土踏まずに対応した位置に、楔状骨、舟状骨、第１中足骨後部及び第２中足骨後部に当接するように隆起し、その外縁が足の内側方向に張り出した形状を有する内側扇状隆起部１４を有する。より詳しくは、この内側扇状隆起部１４は、外側楔状骨３７から始まって、中底又はインソールの基底部からはみ出してさらに足の内側方向に向かって連続的に隆起しつつ張り出して、楔状骨、舟状骨、第１中足骨後部及び第２中足骨後部に当接し、その最大高さの位置が足の内側の最外縁にあり、その下部には空間を形成して、足の内側方向に張り出した形状となっている。
【００２７】
内側扇状隆起部１４は、楔状骨３５〜３７、舟状骨３３、第１中足骨後部３８及び第２中足骨後部３９に当接することによって、歩行の際に最も重要な働きをする土踏まず部のアーチ（縦アーチ）を下からしっかりと支える働きをしている。この内側扇状隆起部１４は、図５にも示すように足の内側方向に張り出す形状とし、その下部に空間を形成している。このような構造とすることによって、歩行に際して大きく変形する足裏の土踏まず部をより確実に支えることができる。歩行による土踏まず部のアーチの低下は疲労を引き起こす原因の一つであるが、この内側扇状隆起部１４によりアーチの低下を防止することができる。
【００２８】
外側扇状隆起部１５は、立方骨３４の内側から始まって足の外側に向かって連続的に隆起しつつ延設され、立方骨３４と踵骨３２前部に当接するように隆起し、足の外側方向に張り出した形状を有する。この外側扇状隆起部１５によって、土踏まず部の内側扇状隆起部１４によって引き起こされる過剰な足首の外側への回転（「回外」という）を抑制し、重心の最適な移動と安定した歩行をもたらすことができる。
【００２９】
円輪状隆起部１６は、足の踵部に対応する位置に設けられた円輪状（ドーナツ状）の隆起部であり、踵骨３２中央部を中心として、円輪の内径が踵骨３２の内外側両端に当接するようにドーナツ状に隆起を形成する。これは次に述べる半楕円弧状後部隆起部１７と相俟って、歩行に際して踵部をしっかりとグリップして踵からの着地を安定にする。
【００３０】
半楕円弧状後部隆起部１７は、踵骨３２外縁から第５中足骨４２後部外側縁に当接するように中底又はインソールの基底部から延伸して外方向に若干張り出して形成された隆起であり、円輪状隆起部１６と協働して歩行の際の踵部をグリップして踵からの着地を安定にする。
【００３１】
本発明の中底又はインソールは、全般的に平板状であり、かつクッション性のある弾性材料からなっている。ここでクッション性のある弾性材料とは、人が乗った場合にわずかに変形し、使用者が弾力性を感じる程度のものであればよい。具体的には、例えば、平板状材料の裏側から測定したデュロメータタイプＥによる押込み硬さが１０〜８０の範囲のもの好適であり、３０〜６０の範囲のものがより好ましい。なお、デュロメータタイプＥによる押込み硬さについてはＩＳＯ７６１９に規定されている。この押込み硬さが小さすぎると、歩行の際にかかる荷重による隆起部や凹部の変形が大きくなり、上述のような作用を十分に発揮することができない。また、この押込み硬さが大きすぎると、履いた時の感触やフィット感が悪くなり、歩行時の衝撃が大きくなる。
【００３２】
このような弾性材料として、本発明の中底又はインソールには合成樹脂の発泡体が好ましい。このような合成樹脂の発泡体としては、例えば、塩化ビニル樹脂、ポリエチレン樹脂、エチレン酢酸ビニル樹脂、ウレタン樹脂などの発泡体が挙げられる。
【００３３】
また、本発明の中底又はインソールは、平板状の弾性材料を用いて、加圧加熱成形などの方法によって、これを同時に一体的に成形することが好ましい。このように同時一体成型のよって上述したような種々の隆起部や凹部をもった形状にすることが、製造コストを低くできることからも好ましい。
【００３４】
更に、本発明は、以上のようなその表面に特徴ある種々の隆起部や凹部を有する中底又はインソール１１とともに、その上側表面に足幅方向に断面形状がその頂部が下向きの逆三角形又は逆台形である溝を有し、かつ地面に接する下側表面において、母子球部と踵部に対応する部分に円形または楕円形の複数の溝を形成し、それ以外の部分には足のつま先方向に凸状の円弧状の複数の溝を形成してなる靴底又はアウトソール２１とを組み合わせて構成された歩行用履物又はスニーカーである。このような歩行用履物又はスニーカーの靴底又はアウトソール２１の一例を図４〜図６に示す。
【００３５】
まず、この靴底又はアウトソール２１は、例えば図４及び図６に示すように、人の足の乗る上側表面に足幅方向（横方向）にほぼ直線状の多数の溝２２を設けている。この溝２２は、断面形状がその頂部２３が下向きの逆三角形又は逆台形であり、踵部でその深さが最も大きく、つま先方向に行くにしたがってその深さが減少するように形成されている。この溝２２の間隔は１０〜２０ｍｍ、好ましくは１３〜１８ｍｍであり、踵部での深さは６．５〜７．５ｍｍ、好ましくは７．０ｍｍである。この溝２２は靴底又はアウトソールの上側表面の全体に設けてもよいが、足の踵から中足骨頭部に対応する全体の２／３程度の部分に設けることが好ましい。
【００３６】
また、この靴底又はアウトソール２１は、例えば図５及び図６に示すように、地面に接する下側表面において、足の母子球部と踵部に対応する部分に円形または楕円形の複数の溝２４，２５を形成し、それ以外の部分には足のつま先方向に凸となった三日月形状の円弧状の多数の溝２６を形成したものである。これらの溝は、その幅が０．８〜１０ｍｍ、好ましくは０．５〜２．５ｍｍであり、その深さが０．５〜２．５ｍｍである。また、この溝を設ける間隔は好ましくは０．９〜１２ｍｍである。
【００３７】
この地面に接する下側表面に形成された円形または楕円形の溝２４、２５は、踵部と母子球部ではその大きさに対応した寸法で溝を形成しているので、歩行時の着地の際や蹴りだしの際に踵や親指部分をしっかりグリップすることができる。また、これ以外の部分に設けた円弧状の溝２６は、つま先方向に凸のやや斜めに形成された三日月形状の溝であって、歩行に際して、すでに述べた本発明の中底やインソール１１及びこの靴底又はアウトソール２１の上側の溝との協働作用によって、後述する理想的なあおり歩行ができるように足の運びを誘導することができる。
【００３８】
このような靴底又はアウトソール２１は、その材質が弾力性と屈曲性のある材料であることが必要であり、天然ゴム、合成ゴム、例えばブタジエンゴム(ＢＲ)、スチレンーブタジエンゴム(ＳＢＲ)、アクリルニトリルーブタジエンゴム(ＮＢＲ)などのジエン系ゴムのようなゴム製のものやポリウレタン、ポリ塩化ビニルなどのような種々の合成樹脂製のものを使用することができる。
【００３９】
本発明の歩行用履物又はスニーカーは、上述したようなその上側表面に多数の横方向の溝２２を形成し、その下側表面に円形と三日月形状の多数の溝２４，２５，２６を形成した靴底又はアウトソール２１を用い、この上に前述した多数の隆起部１３〜１７と凹部１２を形成した中底１１を載せてこれを固着して、足の甲の部分を覆う木綿製や合成繊維製の被覆部材（アッパー部）を取り付けて得られる歩行用履物又はスニーカーである。或いは、このような種々の溝を形成した靴底又はアウトソール２１を用いて足部を覆う被覆部材を取り付け、ここに取り外し可能な状態で前述した隆起部と凹部を有する中底又はインソール１１を挿入した歩行用履物又はスニーカーとしてもよい。
【００４０】
以上の様な本発明の歩行用履物又はスニーカーは、歩行するに際して足の土踏まずの部分がしっかりサポートされると同時に、足首が過剰に外側に回る動き（回外）が抑制され、安定してスムースな歩行が可能となる。更に、前述したような特徴ある形状の靴底又はアウトソール２１を前述の種々の隆起部や凹部を設けた中底又はインソール１１と組み合わせて用いるものであるため、歩行する際に踵部での着地と親指部の蹴りだしで地面を確実にグリップするとともに、歩行による重心移動に伴って自然にあおり歩行に誘導されるという効果を有する。
【００４１】
ここで「あおり歩行」とは、人の歩行に伴う足裏の重心移動が図８に示すように行われる歩行態様のことをいう。即ち、図８に示すように、まず、踏み出した足が踵のやや外側から着地し(1)、足裏の重心が足の外側を通って小指の付け根付近まで前方に移動し(2)、小指の付け根付近から内側に向かって親指の付け根付近まで移動し(3)、親指の付け根で地面を蹴りだし(4)、体重が親指から抜けてゆく(5)、という歩行の態様である。このようなあおり歩行が、もっとも疲れにくい理想的な歩き方といわれている。本発明の歩行用履物又はスニーカーを用いた場合には、この履物の構造によって、自然にこのようなあおり歩行に誘導され、安定して疲れにくい状態で歩くことができる。
【実施例】
【００４２】
実施例１：長時間歩行テストによる比較
以下のようにして、本発明のスニーカーと比較対照品のスニーカーを用いて長時間歩行テストを行い、それぞれについての足の状態の計測、歩行時の重心移動の測定を行い、被験者の主観による比較評価を行った。
ここで使用した履物は、本発明のスニーカーとしては、図４〜図６に示すアウトソールにアッパーを取り付けて、更に、図１〜図３に示すインソールを取り付けたスニーカーを用いた。また、比較対照品のスニーカーとしては、従来から広く使用されている上側表面に直線状の横方向の溝がなく、下側表面（接地面）に格子状の突起模様を有するアウトソールと弾力性のある平板状の合成樹脂発泡体からなるインソールを用いて作られたスニーカーを使用した。
【００４３】
（イ）歩行テストの実施方法
工業高等専門学校の学生男女各１０名に被験者になってもらい、歩行前の足の状態の計測を行った後、上記の本発明のスニーカーと比較対照品のスニーカーを履いて、２０分歩行、５分休憩のサイクルで３セット、計１時間の歩行を行い、テスト終了直後に歩行後の足の状態の計測を行った。同時に、各被験者にアンケートを行い、それぞれのスニーカーの履き心地や足部の疲れなどを評価してもらった。
【００４４】
（ロ）足の状態の計測
足の状態の計測項目は、舟状骨の高さ、足裏接地面積、足の脛部の筋肉の硬さで、それぞれ歩行前と歩行直後に測定した。舟状骨の高さは平らな床の上でハイトゲージを用いて舟状骨の高さを測定した。疲れると足裏のアーチが低下するので、この舟状骨の高さの測定結果から足の疲れの状態を知ることができる。足裏接地面積はスキャナー（製品名：フットルック、株式会社フットルック社製）によって足裏をスキャンし、床に接地している足裏の面積を求め、足裏全体の面積に対する足裏の接地面積を足裏接地比率とした。これも疲れによる足裏のアーチの低下の状態を示す指標である。足の脛部の筋肉の硬さは筋硬度計（製品名：ＮＥＵＴＯＮＥ ＴＤＭ ＮＡ１（ＤＸ）、ＴＲＹ−ＡＬＬ製）を用いて、足の脛部の筋肉の硬さを測定した。
【００４５】
（ハ）測定結果
これらの項目について、歩行テストの実施前と実施後に測定した値の変化量を以下の表１〜表３に示す。
【００４６】
【表１】
2014147622.tif 000003
【００４７】
表１からわかるように、舟状骨の高さを歩行テストの前後で比較すると、比較対照品は歩行前後でその変化がないのに対して、本発明品は少し高くなるという結果が得られた。通常、歩行により土踏まず部のアーチが低下し、舟上骨の高さが低下する傾向にあるが、インソールの土踏まず部などに隆起部を設けかつアウトソールの表と裏の部分に種々の溝を形成したものを組み合わせて構成された本発明品のスニーカーでは、舟状骨の高さの低下を抑制でき、従って足の土踏まずの低下を抑制できたことから疲れにくい状態になったといえる。
【００４８】
【表２】
2014147622.tif 000004
【００４９】
足裏接地比率は足裏のアーチと関係しており、疲れによりアーチが低下すると足裏の床部へ接地する面積が多くなる。足裏全体の面積に対する足裏接地面積から計算した足裏接地比率は、表２に示すように本発明品ではほとんど増加しないかわずかの増加であるのに対して、比較対照品ではかなりの増加が見られた。これも本発明品では比較対照品に比べて歩行による足裏のアーチの低下が少なく、疲れにくいことを示している。
【００５０】
【表３】
2014147622.tif 000005
【００５１】
表３の結果は、下腿部にある腓腹筋の筋硬度である。筋肉は疲れにより硬くなり筋硬度は高い値を示す。歩行前後で比較すると、比較対照品が歩行後に増加、すなわち筋肉が硬くなっているのに対し、本発明品はほとんど変わらない結果が得られ、歩行による腓腹筋の疲れが比較対照品よりも少ないといえる。
【００５２】
（ニ）主観評価の結果
このような歩行テストを行った男子学生１０名に、本発明品と比較対照品について、履き心地、足部の疲れ、着地時の衝撃、足のぐらつき、中敷と足裏のフィット感、靴底の曲がり具合の評価を行ってもらった。その結果を図９から図１４に示す。これらの結果から、本発明品のスニーカーは比較対照品のスニーカーに比べて、疲れにくく、衝撃や足のぐらつきが少なく、履き心地やフィット感がよいとの評価を受けた。
【００５３】
実施例２：衝撃緩衝特性の評価
実施例１で用いたものと同じ本発明のスニーカーと比較対照品のスニーカーを用いて、以下のようにして衝撃緩衝特性テストを行った。
男子用と女子用のスニーカーのアッパー部を、中足部から踵部にかけて切り取り、錘との接触部分を確保する。上部に加速度センサ（CXL25GP3  MEMSIC社製）を取り付けた１０ｋｇの錘を、スニーカー本体の踵部中心上部から距離が５０ｍｍとなるように設定し、自由落下で衝突速度１ｍ／ｓで錘を落下させ、その時の衝撃緩衝特性（Ｇ）を計測した。衝突時の跳ね返りの加速度が大きいほど跳ね返りが強く、人の踵に加わる衝撃力が大きいことになり、跳ね返りの加速度が小さいほど跳ね返りが弱く、踵に加わる衝撃力が小さいことになる。この測定結果を表４にしめす。
【００５４】
【表４】
2014147622.tif 000006
【００５５】
本発明品のスニーカーは、比較対照品に比べて踵部に伝わる衝撃力が小さい。これはスニーカー自体が途中で衝撃を吸収したためである。その衝撃吸収量（衝撃緩衝力の差）は、男子用については比較対象品に比べ４．９Ｇも多く、衝撃吸収量としては、２６％（＝４．９／１８．６）増加したこととなる。この結果は、本発明のスニーカーのインソール１１の円輪状隆起部１６の形状とその材質、及びアウトソール２１の上側表面に足幅方向に、所定の断面形状で、直線状の多数の溝２２を設けていることの協働作用によって得られたものである。女子用についても同様の結果となり、その衝撃吸収量は５．７Ｇであって、３０％の増加（＝５．７／１９．１）となった。
【００５６】
実施例３：歩行時の重心移動の評価
同様に、工業高等専門学校の男子学生８名、女子学生７名、計１５名に被験者になってもらい、上記と同じ本発明のスニーカーと比較対照品のスニーカーを右足に履いて、歩行時の重心移動（足圧中心の軌跡）を評価した。評価機器は、フォースプレート（Kistler 9286B、KISTLER社製）を用い、各スニーカーを履いてフォースプレート上を歩き、右足を無作為に抽出した。
【００５７】
この測定結果として、男子学生と女子学生について得られた歩行時の重心移動を示す足圧中心の軌跡の測定チャートの一例を図１５と図１６に示す。
図１５と図１６からわかるように、比較品のスニーカーの場合には、足圧中心の軌跡が直線に近い動きをしており、ほとんどあおり歩行が見られないのに対して、本発明のスニーカーの場合には、足圧中心の軌跡の測定チャートから歩行者の重心が図８に示すあおり歩行と同じパターンで移動しており、歩行に際して良好なあおり歩行を行っていることが確認できた。
【産業上の利用可能性】
【００５８】
本発明は、安定した疲れにくい歩行ができる歩行用の履物又はスニーカーであり、多くの消費者にこのような優れた作用効果を奏する履物を提供できる点に産業上の利用可能性がある。
【符号の説明】
【００５９】
１１．中底又はインソール
１２．母子球凹部
１３．中央隆起部
１４．内側扇状隆起部
１５．外側扇状隆起部
１６．円輪状隆起部
１７．半楕円弧状後部隆起部
２１．靴底又はアウトソール
２２．溝
２３．頂部
２４．円形または楕円形の溝
２５．円形または楕円形の溝
２６．円弧状の溝
３１．距骨、  ３２．踵骨、  ３３．舟状骨、  ３４．立方骨、  ３５．内側楔状骨、  
３６．中間楔状骨、  ３７．外側楔状骨、  ３８．第１中足骨、  ３９．第２中足骨、  
４０．第３中足骨、  ４１．第４中足骨、  ４２．第５中足骨、  ４３.種子骨、
４４．基節骨、  ４５．中節骨、  ４６．末節骨、
【図１】
2014147622.tif 000007
【図２】
2014147622.tif 000008
【図３】
2014147622.tif 000009
【図４】
2014147622.tif 000010
【図５】
2014147622.tif 000011
【図６】
2014147622.tif 000012
【図７】
2014147622.tif 000013
【図８】
2014147622.tif 000014
【図９】
2014147622.tif 000015
【図１０】
2014147622.tif 000016
【図１１】
2014147622.tif 000017
【図１２】
2014147622.tif 000018
【図１３】
2014147622.tif 000019
【図１４】
2014147622.tif 000020
【図１５】
2014147622.tif 000021
【図１６】
2014147622.tif 000022